(57)【要約】  電源インタフェース（１００）、モバイル端末及び電源アダプタであって、電源インタフェース（１００）は、回路基板（１６０）との接続に適する本体部（１１０）と、本体部（１１０）に接続される複数の隔てられているデータピンｐｉｎ（１２０）と、本体部（１１０）に接続されて、しかもデータピンｐｉｎ（１２０）と隔てられている、複数の隔てられている電源ピンｐｉｎ（１３０）と、を備え、導電部材との電気的接続に適する第１接触面（１３１）及び絶縁被覆部（１４０）による被覆に適する第２接触面（１３２）を含み、電源ピンｐｉｎ（１３０）の電流負荷量を増加させるように、第２接触面（１３２）には少なくとも１つの突起部（１３３）を有する。
2019523530.tif 000002
【特許請求の範囲】
【請求項１】
電源インタフェースであって、
回路基板との接続に適する本体部と、
前記本体部に接続され、互いに隔てられている複数のデータピンｐｉｎと、
前記本体部に接続され、前記データピンｐｉｎと隔てられ、互いに隔てられている複数の電源ピンｐｉｎと、を備え、
前記電源ピンｐｉｎは、導電部材との電気的接続に適する第１接触面及び絶縁被覆部による被覆に適する第２接触面を含み、前記電源ピンｐｉｎの電流負荷量を増加させるように、前記第２接触面には少なくとも１つの突起部が配置されていることを特徴とする、電源インタフェース。
【請求項２】
前記第１接触面が１つであることを特徴とする、
請求項１に記載の電源インタフェース。
【請求項３】
前記第１接触面が２つであり、前記電源ピンｐｉｎの対向する２つの側壁に位置することを特徴とする、
請求項１又は２に記載の電源インタフェース。
【請求項４】
前記突起部が複数互いに隔てられていることを特徴とする、
請求項１〜３のいずれか１項に記載の電源インタフェース。
【請求項５】
複数の前記突起部が同一の前記第２接触面に位置することを特徴とする、
請求項４に記載の電源インタフェース。
【請求項６】
前記第２接触面が２つであり、前記電源ピンｐｉｎの対向する２つの側壁に位置し、
前記突起部が２つであって、それぞれ２つの前記第２接触面に位置することを特徴とする、
請求項４に記載の電源インタフェース。
【請求項７】
前記電源ピンｐｉｎの断面積がＳであり、前記Ｓ≧０．０９８０５ｍｍ２であることを特徴とする、
請求項１〜６のいずれか１項に記載の電源インタフェース。
【請求項８】
前記Ｓ＝０．１３１２５ｍｍ２又は前記Ｓ＝０．１７５ｍｍ２であることを特徴とする、
請求項７に記載の電源インタフェース。
【請求項９】
前記電源ピンｐｉｎの幅方向において、前記第１接触面の幅がＷであり、前記Ｗが０．２４ｍｍ≦Ｗ≦０．３２ｍｍという条件を満たすことを特徴とする、
請求項１〜８のいずれか１項に記載の電源インタフェース。
【請求項１０】
前記Ｗ＝０．２５ｍｍであることを特徴とする、
請求項９に記載の電源インタフェース。
【請求項１１】
前記電源ピンｐｉｎの厚さがＤであり、前記ＤがＤ≦０．７ｍｍという条件を満たすことを特徴とする、
請求項１〜１０のいずれか１項に記載の電源インタフェース。
【請求項１２】
前記絶縁被覆部が放熱被覆部であることを特徴とする、
請求項１〜１１のいずれか１項に記載の電源インタフェース。
【請求項１３】
一部の前記電源ピンｐｉｎがＶＢＵＳであり、一部の前記電源ピンｐｉｎがＧＮＤであることを特徴とする、
請求項１〜１２のいずれか１項に記載の電源インタフェース。
【請求項１４】
モバイル端末であって、
請求項１〜１３のいずれか１項に記載の電源インタフェースを備えることを特徴とする、モバイル端末。
【請求項１５】
電源アダプタであって、
請求項１〜１３のいずれか１項に記載の電源インタフェースを備えることを特徴とする、電源アダプタ。
【請求項１６】
電源インタフェースであって、
回路基板との接続に適する本体部と、
前記本体部に接続され、互いに隔てられている複数のデータピンｐｉｎと、
前記本体部に接続され、前記データピンｐｉｎと隔てられ、互いに隔てられている複数の電源ピンｐｉｎと、を備え、
前記電源ピンｐｉｎは、導電部材に電気的に接続される第１接触面及び前記導電部材に接触しない第２接触面を含み、前記電源ピンｐｉｎの電流負荷量を増加させるように、前記第２接触面には少なくとも１つの突起部が配置されていることを特徴とする、電源インタフェース。
【発明の詳細な説明】
【技術分野】
【０００１】
本発明は通信技術分野に関し、具体的には、特に電源インタフェース、モバイル端末及び電源アダプタに関する。
【背景技術】
【０００２】
時代の進歩に伴って、インターネット及び移動体通信ネットワークは大量の機能アプリケーションを提供する。ユーザーはモバイル端末を利用して従来のアプリケーションを行い、例えば、スマートフォンを利用して電話をかけること、または受けることができるだけでなく、同時に、ユーザーは更にモバイル端末を利用してホームページのブラウジング、画像の伝送、ゲーム等を行うことができる。
【０００３】
モバイル端末を利用して何かしらを処理するとともに、モバイル端末の利用頻度が増加するため、モバイル端末の電池の電量を大量に消費し、従ってしょっちゅう充電する必要があり、生活リズムの加速化、特に緊急事態が頻繁化になるため、ユーザーがモバイル端末の電池に大電流で充電できるように望まれている。
【発明の概要】
【発明が解決しようとする課題】
【０００４】
本発明の目的は少なくとも関連技術の技術的問題の１つをある程度で解決することである。このため、本発明は確実に接続でき、迅速に充電できるという利点を有する電源インタフェースを提供する。
【課題を解決するための手段】
【０００５】
本発明は更に以上に記載の電源インタフェースを備えるモバイル端末を提供する。
【０００６】
本発明は更に以上に記載の電源インタフェースを備える電源アダプタを提供する。
【０００７】
本発明の実施例に係る電源インタフェースであって、回路基板との接続に適する本体部と、前記本体部に接続される複数の隔てられているデータピンｐｉｎと、前記本体部に接続されて、前記データピンｐｉｎと隔てられており、導電部材との電気的接続に適する第１接触面及び絶縁被覆部による被覆に適する第２接触面を含み、前記電源ピンｐｉｎの電流負荷量を増加させるように、前記第２接触面には少なくとも１つの突起部を有する複数の隔てられている電源ピンｐｉｎと、を備える。
【０００８】
本発明の実施例に係る電源インタフェースは、絶縁被覆部による被覆に適する第２接触面に突起部を設置することにより、電源ピンｐｉｎの電流負荷量を増加させることができ、それにより電流の伝送速度を向上させ、電源インタフェースに高速充電機能を有させ、電池への充電効率を向上させることができる。
【０００９】
本発明の実施例に係るモバイル端末であって、以上に記載の電源インタフェースを備える。
【００１０】
本発明の実施例に係るモバイル端末であって、絶縁被覆部による被覆に適する第２接触面に突起部を設置することにより、電源ピンｐｉｎの電流負荷量を増加させることができ、それにより電流の伝送速度を向上させ、電源インタフェースに高速充電機能を有させ、電池への充電効率を向上させることができる。
【００１１】
本発明の実施例に係る電源アダプタであって、以上に記載の電源インタフェースを備える。
【００１２】
本発明の実施例に係る電源アダプタであって、絶縁被覆部による被覆に適する第２接触面に突起部を設置することにより、電源ピンｐｉｎの電流負荷量を増加させることができ、それにより電流の伝送速度を向上させ、電源インタフェースに高速充電機能を有させ、電池への充電効率を向上させることができる。
【００１３】
本発明の実施例に係る電源インタフェースであって、回路基板との接続に適する本体部と、前記本体部に接続される複数の隔てられているデータピンｐｉｎと、前記本体部に接続されて、前記データピンｐｉｎと隔てられており、導電部材に電気的に接続される第１接触面及び導電部材に接触しない第２接触面を含み、前記電源ピンｐｉｎの電流負荷量を増加させるように、前記第２接触面には少なくとも１つの突起部を有する複数の隔てられている電源ピンｐｉｎと、を備える。
【００１４】
本発明の実施例に係る電源インタフェースは、導電部材に接触しない第２接触面に少なくとも１つの突起部を設置することにより、電源ピンｐｉｎの電流負荷量を増加させることができ、それにより電流の伝送速度を向上させ、電源インタフェースに高速充電機能を有させ、電池への充電効率を向上させることができる。
【図面の簡単な説明】
【００１５】
【図１】本発明の実施例に係る電源インタフェースの部分構造図である。
【図２】本発明の実施例に係る電源インタフェースの分解図である。
【図３】本発明の実施例に係る電源インタフェースの断面図である。
【図４】図３におけるＡ箇所の部分拡大図である。
【図５】本発明の実施例に係る電源インタフェースの電源ピンｐｉｎの構造模式図である。
【図６】本発明の実施例に係る電源インタフェースの断面図である。
【図７】図６におけるＢ箇所の部分拡大図である。
【図８】本発明の実施例に係る電源インタフェースの電源ピンｐｉｎの構造模式図である。
【図９】本発明の実施例に係る電源インタフェースの電源ピンｐｉｎの構造模式図である。
【図１０】本発明の実施例に係る電源インタフェースの電源ピンｐｉｎの構造模式図である。
【発明を実施するための形態】
【００１６】
以下に本発明の実施例を詳しく説明し、図面に前記実施例の例を示す。以下に図面を参照して説明する実施例は例示的なものであり、本発明を解釈するためのものであって、本発明を制限するためのものではない。
【００１７】
本発明の説明において、理解すべきなのは、用語「長さ」「幅」「厚さ」「上」「下」「前」「後」「左」「右」「底」「内」「外」「周方向」等で示す方位又は位置関係は図面で示す方位又は位置関係に基づくものであり、本発明を説明しやすくする及び説明を簡素化するためのものに過ぎず、指す装置又は部品が特定の方位を有し、特定の方位で構成及び操作しなければならないことを指示又は示唆するためのものではなく、従って本発明を制限するためのものであると理解すべきではない。
【００１８】
なお、用語「第１」「第２」は説明のみに用いられ、相対的重要性を指示又は示唆し、又は指示する技術的特徴の数を暗示的に示すと理解すべきではない。これにより、「第１」「第２」で制限した特徴は少なくとも１つの該特徴を明示的又は暗示的に含んでもよい。本発明の説明において、特に断りがない限り、「複数」の意味は少なくとも２つ、例えば２つ、３つ等である。
【００１９】
本発明において、特に断りがない限り、用語「取付」「連結」「接続」「固定」等を広義で理解すべきであり、例えば、固定接続であってもよいし、取り外し可能な接続又は一体であってもよく、機械的接続であってもよいし、電気的接続又は相互通信可能であってもよく、直接接続であってもよいし、中間媒体による間接接続であってもよく、更に２つの部品の内部連通又は２つの部品の相互作用関係であってもよい。当業者であれば、具体的な状況に応じて上記用語の本発明における具体的な意味を理解することができる。
【００２０】
以下、図１〜図１０を参照しながら本発明の実施例に係る電源インタフェース１００を詳しく説明する。電源インタフェース１００が充電又はデータ伝送用のインタフェースであってもよく、電源インタフェース１００が携帯電話、タブレットＰＣ、ノートパソコン又は他の充電機能を有するモバイル端末に設けられてもよく、電気信号、データ信号の通信接続を実現するように、電源インタフェース１００が対応する電源アダプタに電気的に接続されてもよいと説明すべきである。
【００２１】
図１〜図１０に示すように、本発明の実施例に係る電源インタフェース１００は本体部１１０、データピンｐｉｎ１２０及び電源ピンｐｉｎ１３０を備える。
【００２２】
具体的には、本体部１１０が回路基板１６０との接続に適し、データピンｐｉｎ１２０が隔てられている複数個であって、本体部１１０に接続される。電源ピンｐｉｎ１３０が隔てられている複数個であって、本体部１１０に接続されてもよい。電源ピンｐｉｎ１３０及びデータピンｐｉｎ１２０が間隔を置いて配置されている。電源ピンｐｉｎ１３０は導電部材との電気的接続に適する第１接触面１３１及び絶縁被覆部１４０による被覆に適する第２接触面１３２を含み、電源ピンｐｉｎ１３０の電流負荷量を増加させるように、第２接触面１３２には少なくとも１つの突起部１３３を有する。
【００２３】
本発明の実施例に係る電源インタフェース１００は、絶縁被覆部１４０による被覆に適する第２接触面１３２に突起部１３３を設置することにより、電源ピンｐｉｎ１３０の電流負荷量を増加させることができ、それにより電流の伝送速度を向上させ、電源インタフェース１００に高速充電機能を有させ、電池への充電効率を向上させることができる。
【００２４】
本発明の一実施例によれば、図１〜図５に示すように、第１接触面１３１が１つであってもよい。つまり、電源ピンｐｉｎ１３０には１つの表面が導電部材との電気的接続に適し、該電源ピンｐｉｎ１３０の他の表面が絶縁被覆部１４０による被覆に適する。
【００２５】
電源インタフェース１００によって高速で充電するとき、突起部１３３を有する電源ピンｐｉｎ１３０はより大きな充電電流を負荷することに用いられてもよく、電源インタフェース１００によって通常充電するとき、電源ピンｐｉｎ１３０における絶縁被覆部１４０によって電源ピンｐｉｎ１３０が電源アダプタにおける対応するピンｐｉｎに接触することを避けることができると説明すべきである。これにより、本実施例における電源インタフェース１００を様々な電源アダプタに適用させることができる。例えば、電源インタフェース１００によって高速で充電するとき、電源インタフェース１００が対応する高速充電機能を有する電源アダプタに電気的に接続されてもよく、電源インタフェース１００によって通常充電するとき、電源インタフェース１００が対応する通常の電源アダプタに電気的に接続されてもよく、絶縁被覆部１４０によって突起部１３３を効果的に電源アダプタにおける対応するピンｐｉｎと隔てることができ、それにより突起部１３３が電源アダプタにおけるピンｐｉｎに充電妨害を与えることを避け、従って電源インタフェース１００の通常の充電電源アダプタに対する適応性を向上させ、電源インタフェース１００の通常の充電状態における安定性を向上させることができる。ここで、高速充電とは充電電流が２．５Ａ以上の充電状態又は定格出力電力が１５Ｗ以上の充電状態を意味してもよく、通常充電とは充電電流が２．５Ａ未満の充電状態又は定格出力電力が１５Ｗ未満の充電状態を意味してもよいと説明すべきである。
【００２６】
本発明の他の実施例によれば、図６〜図１０に示すように、第１接触面１３１が２つであって、電源ピンｐｉｎ１３０の対向する２つの側壁に位置する。つまり、電源ピンｐｉｎ１３０には２つの表面が導電部材との電気的接続に適し、該電源ピンｐｉｎ１３０の他の表面が絶縁被覆部１４０による被覆に適する。
【００２７】
関連技術において、電源インタフェースのピンｐｉｎは上下方向に沿って配列されている２列のピンｐｉｎを含み、各列のピンｐｉｎは複数の隔てられているピンｐｉｎを含み、上位列のピンｐｉｎが下位列のピンｐｉｎに対向して設置されている。本実施例における電源インタフェース１００において、図６、図７に示すように、従来技術における上下対向する２つの電源ピンｐｉｎを１つの電源ピンｐｉｎ１３０に設計して、該電源ピンｐｉｎ１３０の２つの側壁面を電源アダプタとの電気的接続に適する挿着面として構成すると理解される。これにより、電源ピンｐｉｎ１３０の断面積を増加させることができ、それにより電源ピンｐｉｎ１３０の電流負荷量を増加させ、更に電流の伝送速度を向上させ、電源インタフェース１００に高速充電機能を有させ、電池への充電効率を向上させることができる。
【００２８】
本発明の一実施例によれば、図８、図１０に示すように、複数個の突起部１３３が互いに隔てられている。電源ピンｐｉｎ１３０の断面積を増加させることで、電源ピンｐｉｎ１３０の電流負荷量を増加させることができる一方、電源ピンｐｉｎ１３０と絶縁被覆部１４０との接触面積を増加させることで、絶縁被覆部１４０と電源ピンｐｉｎ１３０との付着力を増加させることができ、従って電源インタフェース１００の耐挿抜性を向上させ、電源インタフェース１００の疲労損傷を抑制することができる。
【００２９】
本発明の一実施例において、図１０に示すように、複数の突起部１３３が同一第２接触面１３２に位置する。複数の突起部１３３の位置配置方式はこれに限らず、例えば、本発明の他の実施例において、図８に示すように、第２接触面１３２が２つであって、電源ピンｐｉｎ１３０の対向する２つの側壁に位置し、突起部１３３が２つであって、それぞれ２つの第２接触面１３２に位置すると理解される。
【００３０】
本発明の一実施例によれば、電源ピンｐｉｎ１３０の断面積がＳであり、Ｓ≧０．０９８０５ｍｍ２。実験的検証によって、Ｓ≧０．０９８０５ｍｍ２時、電源ピンｐｉｎ１３０の電流負荷量が少なくとも１０Ａであり、これにより、電源ピンｐｉｎ１３０の電流負荷量を増加させることで、充電効率を向上させることができる。さらなる実験的検証によって、Ｓ＝０．１３１２５ｍｍ２又はＳ＝０．１７５ｍｍ２時、電源ピンｐｉｎ１３０の電流負荷量が１２Ａ以上に達し、これにより、充電効率を向上させることができる。
【００３１】
本発明の一実施例によれば、図５、図８に示すように、電源ピンｐｉｎ１３０の幅方向（図５、図８に示す左右方向）において、第１接触面１３１の幅がＷであり、０．２４ｍｍ≦Ｗ≦０．３２ｍｍ。実験的検証によって、０．２４ｍｍ≦Ｗ≦０．３２ｍｍ時、電源ピンｐｉｎ１３０の電流負荷量が少なくとも１０Ａであり、これにより、電源ピンｐｉｎ１３０の電流負荷量を増加させることで、充電効率を向上させることができる。さらなる実験的検証によって、Ｗ＝０．２５ｍｍ時、電源ピンｐｉｎ１３０の電流負荷量を大幅に増加させることができ、電源ピンｐｉｎ１３０の電流負荷量が１２Ａ又はそれ以上となり、それにより充電効率を向上させることができる。
【００３２】
本発明の一実施例によれば、図５、図８に示すように、電源ピンｐｉｎ１３０の厚さがＤであり、Ｄ≦０．７ｍｍ、ここで、「厚さ」とは電源ピンｐｉｎ１３０の図５、図８に示す上下方向における幅を意味してもよい。
【００３３】
電源インタフェース１００の汎用性を向上させるために、電源インタフェース１００の構造設計は一定の設計基準を満たす必要があり、例えば、電源インタフェース１００の設計基準において、電源インタフェース１００の最大厚さがｈであり、従って電源ピンｐｉｎ１３０を設計するとき、電源ピンｐｉｎ１３０の厚さＤをｈ以下にする必要があり、Ｄ≦ｈの条件下で、電源ピンｐｉｎ１３０の厚さＤが大きければ大きいほど、電源ピンｐｉｎ１３０の負荷できる電流負荷量が大きくなり、電源インタフェース１００の充電効率が高くなると説明すべきである。例えば、ＵＳＢ  Ｔｙｐｅ−Ｃインタフェースを例とし、ＵＳＢ  Ｔｙｐｅ−Ｃインタフェースの厚さの設計基準がｈ＝０．７ｍｍであり、従って電源インタフェース１００を設計するとき、Ｄ≦０．７ｍｍにする必要がある。これにより、電源インタフェース１００に汎用性ニーズを満たさせることができるだけでなく、関連技術に比べて、更に電源ピンｐｉｎ１３０の断面積を増加させることができ、それにより電源ピンｐｉｎ１３０の電流負荷量を増加させ、更に充電効率を向上させることができる。
【００３４】
電源インタフェース１００の放熱効率を向上させるために、本発明の一実施例によれば、図２に示すように、絶縁被覆部１４０は絶縁熱伝導材料で製造された放熱被覆部であってもよい。本発明の一実施例によれば、絶縁被覆部１４０は第１被覆部１４１及び第２被覆部１４２を含んでもよく、第２被覆部１４２が第１被覆部１４１に嵌設される。本発明の一実施例によれば、一部の電源ピンｐｉｎ１３０がＶＢＵＳであり、一部の電源ピンｐｉｎ１３０がＧＮＤである。
【００３５】
以下、図１〜図１０を参照しながら本発明の実施例に係る電源インタフェース１００を詳しく説明する。ただし、下記説明は例示的な説明に過ぎず、本発明を具体的に制限するためのものではない。
【００３６】
実施例１
説明しやすくするために、電源インタフェース１００がＴｙｐｅ−Ｃである場合を例とする。Ｔｙｐｅ−Ｃインタフェースの完全な名称はＵＳＢ  Ｔｙｐｅ−Ｃインタフェースであり、インタフェース形式であって、ＵＳＢ標準化組織がＵＳＢインタフェースの従来の物理インタフェース規格が統一されず、電力の一方向に伝送しかできないといった欠点を解決するために定めた新しいデータ、ビデオ、オーディオ、電力伝送インタフェース規格である。
【００３７】
Ｔｙｐｅ−Ｃの特徴は、いずれの標準仕様の装置がインタフェース規格におけるＣＣピンによって、ＶＢＵＳを占有する意欲を接続される他方に主張することができ（つまり、従来ＵＳＢの正面の接続線）、意欲のより強い方が最終的にＶＢＵＳに電圧及び電流を出力し、この場合、他方がＶＢＵＳバスの給電を受け、又は給電を受けることを依然として拒否するが、伝送機能に影響しないことである。このバス定義を容易に利用できるために、Ｔｙｐｅ−Ｃインタフェースチップ（例えばＬＤＲ６０１３）は一般的に装置をＤＦＰ、Ｓｔｒｏｎｇ  ＤＲＰ、ＤＲＰ、ＵＦＰの４つのロールに分ける。この４つのロールがＶＢＵＳバスを占有する意欲は順に逓減する。
【００３８】
ＤＦＰはアダプタに相当し、ＶＢＵＳに電圧を持続的に出力したがり、Ｓｔｒｏｎｇ  ＤＲＰはモバイルバッテリーに相当し、アダプタに遭う時のみ、ＶＢＵＳの出力を止める。ＤＲＰは携帯電話に相当し、通常の状況において、いずれも相手から給電するように望まれるが、自体より弱い装置に遭う時、相手に無理に出力し、ＵＦＰは外部に電力を出力せず、一般的に弱電池装置、又は電池無しの装置、例えばワイヤレスイヤホンである。ＵＳＢ  Ｔｙｐｅ−Ｃは正面挿入・裏面挿入をサポートし、正面・裏面に合計して４組の電源及び地を有するため、サポートできる電力を大幅に向上させることができる。
【００３９】
本実施例における電源インタフェース１００はＵＳＢ  Ｔｙｐｅ−Ｃインタフェースであってもよく、高速充電機能を有する電源アダプタに適用するだけでなく、通常の電源アダプタにも適用する。ここで、高速充電とは充電電流が２．５Ａを超える充電状態又は定格出力電力が１５Ｗ以上の充電状態を意味してもよく、通常充電とは充電電流が２．５Ａ以下の充電状態又は定格出力電力が１５Ｗ未満の充電状態を意味してもよいと説明すべきである。つまり、高速充電機能を有する電源アダプタを利用して電源インタフェース１００によって充電するとき、充電電流が２．５Ａ以上であり又は定格出力電力が１５Ｗ以上であり、通常の電源アダプタを利用して電源インタフェース１００によって充電するとき、充電電流が２．５Ａ未満であり又は定格出力電力が１５Ｗ未満である。
【００４０】
電源インタフェース１００、電源インタフェース１００に適合する電源アダプタを標準化するために、電源インタフェース１００の寸法に基準インタフェースの設計要件を満たさせる。例えば、ピンｐｉｎの個数が２４である電源インタフェース１００において、その設計において要求される幅（電源インタフェース１００の左右方向における幅、例えば図１に示す左右方向）がａであり、本実施例における電源インタフェース１００に設計基準を満たさせるために、本実施例における電源インタフェース１００の幅（電源インタフェース１００の左右方向における幅、例えば図１に示す左右方向）もａである。電源ピンｐｉｎ１３０が限られたスペース内により大きな充電電流を負荷できるために、２４個のピンｐｉｎのうちピンｐｉｎの一部を省くとともに、電源ピンｐｉｎ１３０の断面積を増加させることにより、より大きな充電電流を負荷することに用いられるが、電源ピンｐｉｎ１３０の増加部分を省かれたピンｐｉｎの位置に配置してもよく、電源インタフェース１００の部材の配置の最適化を実現する一方、電源ピンｐｉｎ１３０の電流負荷量を増加させる。
【００４１】
具体的に、図１〜図５に示すように、電源インタフェース１００は本体部１１０、６つのデータピンｐｉｎ１２０及び８つの電源ピンｐｉｎ１３０を備える。６つのデータピンｐｉｎ１２０がそれぞれＡ５、Ａ６、Ａ７、Ｂ５、Ｂ６、Ｂ７であり、８つの電源ピンｐｉｎ１３０がそれぞれＡ１、Ａ４、Ａ９、Ａ１２、Ｂ１、Ｂ４、Ｂ９、Ｂ１２であり、８つの電源ピンｐｉｎ１３０のうち４つが４つのＶＢＵＳであり、残りの４つがＧＮＤである。対向する２つのＧＮＤの間に中間パッチ１５０が介設され、電源インタフェース１００がモバイル端末に設けられてもよく、モバイル端末（例えば携帯電話、タブレットＰＣ、ノートパソコン等）の内部に電池が設けられてもよく、外部電源が電源アダプタによって電源インタフェース１００に接続され、更に電池を充電することができると説明すべきである。電源ピンｐｉｎ１３０は導電部材との電気的接続に適する第１接触面１３１及び絶縁被覆部１４０による被覆に適する第２接触面１３２を含み、電源ピンｐｉｎ１３０の電流負荷量を増加させるように、第２接触面１３２には少なくとも１つの突起部１３３を有する。
【００４２】
図５に示すように、第１接触面１３１が１つであってもよく、突起部１３３が１つであって、電源ピンｐｉｎ１３０の右側の壁面に形成され、つまり突起部１３３が電源ピンｐｉｎ１３０の右側の第２接触面１３２に形成される。電源インタフェース１００によって高速で充電するとき、突起部１３３を有する電源ピンｐｉｎ１３０はより大きな充電電流を負荷することに用いられてもよく、電源インタフェース１００によって通常充電するとき、電源ピンｐｉｎ１３０における絶縁被覆部１４０によって電源ピンｐｉｎ１３０が電源アダプタにおける対応するピンｐｉｎに接触することを避けることができる。これにより、本実施例における電源インタフェース１００を様々な電源アダプタに適用させることができる。例えば、電源インタフェース１００によって高速で充電するとき、電源インタフェース１００が対応する高速充電機能を有する電源アダプタに電気的に接続されてもよく、電源インタフェース１００によって通常充電するとき、電源インタフェース１００が対応する通常の電源アダプタに電気的に接続されてもよく、絶縁被覆部１４０によって突起部１３３を効果的に電源アダプタにおける対応するピンｐｉｎと隔てることができ、それにより突起部１３３が電源アダプタにおけるピンｐｉｎに充電妨害を与えることを避け、従って電源インタフェース１００の通常の充電電源アダプタに対する適応性を向上させ、電源インタフェース１００の通常の充電状態における安定性を向上させることができる。
【００４３】
図５に示すように、電源ピンｐｉｎ１３０の断面積がＳであり、電源ピンｐｉｎ１３０の幅方向（図５、図８に示す左右方向）において、第１接触面１３１の幅がＷであり、実験的検証によって、Ｓ＝０．１３１２５ｍｍ２、Ｗ＝０．２５ｍｍ時、電源ピンｐｉｎ１３０の電流負荷量が１０Ａ、１２Ａ、１４Ａ又はそれ以上であってもよく、従って充電効率を向上させることができる。
【００４４】
電源ピンｐｉｎ１３０の厚さがＤであり、０．１ｍｍ≦Ｄ≦０．３ｍｍ。ここで、「厚さ」とは電源ピンｐｉｎ１３０の図５、図８に示す上下方向における幅を意味してもよい。実験的検証によって、０．１ｍｍ≦Ｄ≦０．３ｍｍ時、電源ピンｐｉｎ１３０の電流負荷量が少なくとも１０Ａであり、これにより、電源ピンｐｉｎ１３０の電流負荷量を増加させることで、充電効率を向上させることができる。
【００４５】
さらなる実験的検証によって、Ｓ＝０．１３１２５ｍｍ２、Ｗ＝０．２５ｍｍ、Ｄ＝０．２５ｍｍ時、電源ピンｐｉｎ１３０の電流負荷量を大幅に増加させることができ、電源ピンｐｉｎ１３０の電流負荷量が１０Ａ、１２Ａ、１４Ａ又はそれ以上であってもよく、従って充電効率を向上させることができる。
【００４６】
図２に示すように、絶縁被覆部１４０は絶縁熱伝導材料で製造された放熱被覆部であって、第１被覆部１４１及び第２被覆部１４２を含んでもよく、第２被覆部１４２が第１被覆部１４１に嵌設される。
【００４７】
これにより、電源ピンｐｉｎ１３０に拡張部分１３２を設置することにより、電源ピンｐｉｎ１３０の電流負荷量を増加させることができ、それにより電流の伝送速度を向上させ、電源インタフェース１００に高速充電機能を有させ、電池への充電効率を向上させることができる。
【００４８】
実施例２
図６〜図７及び図９に示すように、実施例１との相違点は、該実施例において、第１接触面１３１が２つであって、電源ピンｐｉｎ１３０の対向する２つの側壁に位置することである。つまり、電源ピンｐｉｎ１３０には２つの表面が電源アダプタの導電部材との電気的接続に適し、該電源ピンｐｉｎ１３０の他の表面が絶縁被覆部１４０による被覆に適する。
【００４９】
関連技術において、電源インタフェースのピンｐｉｎは上下方向に沿って配列されている２列のピンｐｉｎを含み、各列のピンｐｉｎは複数の隔てられているピンｐｉｎを含み、上位列のピンｐｉｎが下位列のピンｐｉｎに対向して設置されている。本実施例における電源インタフェース１００において、図６、図７に示すように、従来技術における上下対向する２つの電源ピンｐｉｎを１つの電源ピンｐｉｎ１３０に設計して、該電源ピンｐｉｎ１３０の２つの側壁面を電源アダプタとの電気的接続に適する挿着面として構成すると理解される。これにより、電源ピンｐｉｎ１３０の断面積を増加させることができ、それにより電源ピンｐｉｎ１３０の電流負荷量を増加させ、更に電流の伝送速度を向上させ、電源インタフェース１００に高速充電機能を有させ、電池への充電効率を向上させることができる。
【００５０】
図９に示すように、電源ピンｐｉｎ１３０の断面の外輪郭線が略矩形となって、２つの第１接触面１３１及び２つの第２接触面１３２を含み、２つの第１接触面１３１がそれぞれ電源ピンｐｉｎ１３０の対向する２つの壁面に位置し、２つの第２接触面１３２が２つの第１接触面１３１の間に位置し、突起部１３３が１つであって、一方の第２接触面１３２に位置する。
【００５１】
図５、図８に示すように、電源ピンｐｉｎ１３０の断面積がＳであり、電源ピンｐｉｎ１３０の厚さがＤであり、電源ピンｐｉｎ１３０の断面積がＳであり、電源ピンｐｉｎ１３０の幅方向（図５、図８に示す左右方向）において、第１接触面１３１の幅がＷであり、実験的検証によって、Ｓ＝０．１７５ｍｍ２、Ｗ＝０．２５ｍｍ、Ｄ≦０．７ｍｍ時、電源ピンｐｉｎ１３０の電流負荷量を大幅に増加させることができ、電源ピンｐｉｎ１３０の電流負荷量が１０Ａ、１２Ａ、１４Ａ又はそれ以上であってもよく、従って充電効率を向上させることができる。電源インタフェース１００の汎用性を向上させるために、電源インタフェース１００の構造設計は一定の設計基準を満たす必要があり、例えば、電源インタフェース１００の設計基準において、電源インタフェース１００の最大厚さがｈであり、従って電源ピンｐｉｎ１３０を設計するとき、電源ピンｐｉｎ１３０の厚さＤをｈ以下にする必要があり、Ｄ≦ｈの条件下で、電源ピンｐｉｎ１３０の厚さＤが大きければ大きいほど、電源ピンｐｉｎ１３０の負荷できる電流負荷量が大きくなり、電源インタフェース１００の充電効率が高くなると説明すべきである。例えば、ＵＳＢ  Ｔｙｐｅ−Ｃインタフェースを例とし、ＵＳＢ  Ｔｙｐｅ−Ｃインタフェースの厚さの設計基準がｈ＝０．７ｍｍであり、従って電源インタフェース１００を設計するとき、Ｄ≦０．７ｍｍにする必要がある。これにより、電源インタフェース１００に汎用性ニーズを満たさせることができるだけでなく、関連技術に比べて、更に電源ピンｐｉｎ１３０の断面積を増加させることができ、それにより電源ピンｐｉｎ１３０の電流負荷量を増加させ、更に充電効率を向上させることができる。
【００５２】
実施例３
図６〜図７及び図８に示すように、実施例２との相違点は、該実施例において、突起部１３３が２つであって、それぞれ２つの第２接触面１３２に位置することである。
【００５３】
実施例４
図６〜図７及び図１０に示すように、実施例３との相違点は、該実施例において、突起部１３３が２つであり、該２つの突起部１３３がいずれも同一第２接触面１３２に位置し、且つ該２つの突起部１３３が間隔を置いて配置されていることである。
【００５４】
本発明の実施例に係るモバイル端末は以上に記載の電源インタフェース１００を備える。モバイル端末は電源インタフェース１００によって電気信号、データ信号の伝送を実現することができる。例えば、充電又はデータ伝送機能を実現するように、モバイル端末は電源インタフェース１００によって電源アダプタに電気的に接続されてもよい。
【００５５】
本発明の実施例に係るモバイル端末は、絶縁被覆部１４０による被覆に適する第２接触面１３２に突起部１３３を設置することにより、電源ピンｐｉｎ１３０の電流負荷量を増加させることができ、それにより電流の伝送速度を向上させ、電源インタフェース１００に高速充電機能を有させ、電池への充電効率を向上させることができる。
【００５６】
本発明の実施例に係る電源アダプタは以上に記載の電源インタフェース１００を備える。モバイル端末は電源インタフェース１００によって電気信号、データ信号の伝送を実現することができる。
【００５７】
本発明の実施例に係る電源アダプタは、絶縁被覆部１４０による被覆に適する第２接触面１３２に突起部１３３を設置することにより、電源ピンｐｉｎ１３０の電流負荷量を増加させることができ、それにより電流の伝送速度を向上させ、電源インタフェース１００に高速充電機能を有させ、電池への充電効率を向上させることができる。
【００５８】
本発明の実施例に係る電源インタフェース１００は回路基板１６０との接続に適する本体部１１０、複数の隔てられているデータピンｐｉｎ１２０及び複数の隔てられている電源ピンｐｉｎ１３０を備える。
【００５９】
データピンｐｉｎ１２０が本体部１１０に接続され、電源ピンｐｉｎ１３０が本体部１１０に接続され、且つ、電源ピンｐｉｎ１３０がデータピンｐｉｎ１２０と隔てられており、電源ピンｐｉｎ１３０は導電部材に電気的に接続される第１接触面１３１及び導電部材に接触しない第２接触面１３２を含み、電源ピンｐｉｎ１３０の電流負荷量を増加させるように、第２接触面１３２には少なくとも１つの突起部１３３を有する。
【００６０】
本発明の実施例に係る電源インタフェース１３０は、導電部材に接触しない第２接触面１３２に少なくとも１つの突起部１３３を設置することにより、電源ピンｐｉｎ１３０の電流負荷量を増加させることができ、それにより電流の伝送速度を向上させ、電源インタフェース１００に高速充電機能を有させ、電池への充電効率を向上させることができる。
【００６１】
本明細書の説明において、用語「一実施例」「いくつかの実施例」「例」「具体例」又は「いくつかの例」等の説明は該実施例又は例を参照して説明した具体的な特徴、構造、材料又は特性が本発明の少なくとも１つの実施例又は例に含まれることを意味する。本明細書において、上記用語の模式的な説明は同じ実施例又は例に対するものでなくてもよい。且つ、説明される具体的な特徴、構造、材料又は特性はいずれか１つ又は複数の実施例又は例において適切な方式で結合してもよい。なお、矛盾しない限り、当業者は本明細書に説明される様々な実施例又は例、及び様々な実施例又は例の特徴を結合及び組み合わせすることができる。
【００６２】
以上は本発明の実施例を示し及び説明したが、上記実施例は例示的なものであって、本発明を制限するためのものではなく、当業者は本発明の範囲内に上記実施例に対して変更、修正、置換及び変形を行うことができると理解される。
【符号の説明】
【００６３】
１００  電源インタフェース
１１０  本体部
１２０  データピンｐｉｎ
１３０  電源ピンｐｉｎ
１３１  第１接触面
１３２  第２接触面
１３３  突起部
１４０  絶縁被覆部
１４１  第１被覆部
１４２  第２被覆部
１５０  中間パッチ
１６０  回路基板
【図１】
2019523530.tif 000003
【図２】
2019523530.tif 000004
【図３】
2019523530.tif 000005
【図４】
2019523530.tif 000006
【図５】
2019523530.tif 000007
【図６】
2019523530.tif 000008
【図７】
2019523530.tif 000009
【図８】
2019523530.tif 000010
【図９】
2019523530.tif 000011
【図１０】
2019523530.tif 000012
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
電源インタフェースであって、
回路基板との接続に適する本体部と、
前記本体部に接続され、互いに隔てられている複数のデータピンｐｉｎと、
前記本体部に接続され、前記データピンｐｉｎと隔てられ、互いに隔てられている複数の電源ピンｐｉｎと、を備え、
前記電源ピンｐｉｎは、導電部材との電気的接続に適する第１接触面及び絶縁被覆部による被覆に適する第２接触面を含み、前記電源ピンｐｉｎの電流負荷量を増加させるように、前記第２接触面には少なくとも１つの突起部が配置されていることを特徴とする、電源インタフェース。
【請求項２】
前記第１接触面が１つであることを特徴とする、
請求項１に記載の電源インタフェース。
【請求項３】
前記第１接触面が２つであり、前記電源ピンｐｉｎの対向する２つの側壁に位置することを特徴とする、
請求項１に記載の電源インタフェース。
【請求項４】
前記突起部が複数互いに隔てられていることを特徴とする、
請求項１〜３のいずれか１項に記載の電源インタフェース。
【請求項５】
複数の前記突起部が同一の前記第２接触面に位置することを特徴とする、
請求項４に記載の電源インタフェース。
【請求項６】
前記第２接触面が２つであり、前記電源ピンｐｉｎの対向する２つの側壁に位置し、
前記突起部が２つであって、それぞれ２つの前記第２接触面に位置することを特徴とする、
請求項４に記載の電源インタフェース。
【請求項７】
前記電源ピンｐｉｎの断面積がＳであり、前記Ｓ≧０．０９８０５ｍｍ２であることを特徴とする、
請求項１〜６のいずれか１項に記載の電源インタフェース。
【請求項８】
前記Ｓ＝０．１３１２５ｍｍ２又は前記Ｓ＝０．１７５ｍｍ２であることを特徴とする、
請求項７に記載の電源インタフェース。
【請求項９】
前記電源ピンｐｉｎの幅方向において、前記第１接触面の幅がＷであり、前記Ｗが０．２４ｍｍ≦Ｗ≦０．３２ｍｍという条件を満たすことを特徴とする、
請求項１〜８のいずれか１項に記載の電源インタフェース。
【請求項１０】
前記Ｗ＝０．２５ｍｍであることを特徴とする、
請求項９に記載の電源インタフェース。
【請求項１１】
前記絶縁被覆部が放熱被覆部であることを特徴とする、
請求項１〜１０のいずれか１項に記載の電源インタフェース。
【請求項１２】
一部の前記電源ピンｐｉｎがＶＢＵＳであり、一部の前記電源ピンｐｉｎがＧＮＤであることを特徴とする、
請求項１〜１１のいずれか１項に記載の電源インタフェース。
【請求項１３】
モバイル端末であって、
請求項１〜１２のいずれか１項に記載の電源インタフェースを備えることを特徴とする、モバイル端末。
【請求項１４】
電源アダプタであって、
請求項１〜１２のいずれか１項に記載の電源インタフェースを備えることを特徴とする、電源アダプタ。
【請求項１５】
電源インタフェースであって、
回路基板との接続に適する本体部と、
前記本体部に接続され、互いに隔てられている複数のデータピンｐｉｎと、
前記本体部に接続され、前記データピンｐｉｎと隔てられ、互いに隔てられている複数の電源ピンｐｉｎと、を備え、
前記電源ピンｐｉｎは、導電部材に電気的に接続される第１接触面及び前記導電部材に接触しない第２接触面を含み、前記電源ピンｐｉｎの電流負荷量を増加させるように、前記第２接触面には少なくとも１つの突起部が配置されていることを特徴とする、電源インタフェース。
【国際調査報告】
2019523530.tif 000013
2019523530.tif 000014
2019523530.tif 000015
2019523530.tif 000016